(57)【要約】      （修正有）【課題】雑音を抑制して所望の音響を実現するオルゴールを提供する。【解決手段】台座と共鳴板である底板３４ａとが第１部材である魂柱７６を介して接続されていることから、振動弁１８の振動が底板３４ａに効率的に伝達される。且つ、駆動機構１０２と筐体３４との間に振動の伝達を抑制する第２部材である振動伝達抑制部材８６が介挿されていることから、駆動機構１０２の駆動音が筐体３４に響くことを好適に抑制できる。すなわち、駆動機構１０２の駆動音を抑制して、振動弁１８で発生する音の音響を実現するオルゴール１０を提供することができる。【選択図】図５
2015011241.tif 000002
【特許請求の範囲】
【請求項１】
複数の振動弁が固定された台座と、
前記振動弁に対応して設けられ、前記振動弁を弾く複数の爪と、
前記爪を駆動する駆動機構と、
前記台座および前記駆動機構が内部に配置され、前記振動弁の振動に共鳴する共鳴板を備える筐体と、
前記台座と前記共鳴板との間に配置され、前記台座に固定され且つ前記共鳴板に固定される第１部材と、
前記駆動機構と、前記共鳴板を備える前記筐体との間に配置される第２部材と
を、備えたこと特徴とするオルゴール。
【請求項２】
前記第１部材は、前記振動弁の振動を、前記台座を介して前記共鳴板へ伝える振動伝達部材であり、
前記第２部材は、前記駆動機構から、前記筐体への振動の伝達を抑制する振動伝達抑制部材である
請求項１に記載のオルゴール。
【請求項３】
前記台座と前記駆動機構とを前記筐体に固定するフレームを備え、
前記第２部材は、前記筐体と前記フレームとの間に設けられたものである
請求項１又は２に記載のオルゴール。
【請求項４】
前記駆動機構は、前記複数の振動弁にそれぞれ対応する前記爪が各振動弁を弾くタイミングを制御する複数のストッパを備え、
前記フレームは、前記駆動機構と前記筐体との間、および前記台座と前記筐体との間に設けられ、
前記第２部材は、前記駆動機構と前記フレームとの間、および前記筐体と前記フレームとの間に設けられ、
前記駆動機構と前記フレームとの間には、前記筐体と前記フレームとの間に設けられた第１材質の前記第２部材より弾性が低い第２材質の前記第２部材が設けられたものである
請求項３に記載のオルゴール。
【請求項５】
前記第１部材は、前記台座と前記共鳴板との間に介在された支柱であり、
前記フレームには、前記台座が固定された位置に、前記支柱の外径よりも径が大きい貫通穴が形成され、
前記支柱は、前記貫通穴に挿入され、且つ前記貫通穴の径より内側において固定されたものである
請求項３又は４に記載のオルゴール。
【請求項６】
前記支柱および前記共鳴板は、木製の部材であり、
前記支柱は、前記台座と前記共鳴板とに、締結部材により締結されたものである
請求項５に記載のオルゴール。
【請求項７】
前記複数の振動弁は、それぞれの音高に対応して異なる弁長さ寸法で形成され且つ前記弁長さ寸法が長い順番に所定の方向に配列されたものであり、
前記複数の振動弁は、それぞれの音高に対応して高音から低音の順に配設されたものであり、
前記支柱は、前記台座において、前記台座が固定する振動弁の低音側に対応する位置に固定されたものである
請求項５または６に記載のオルゴール。
【発明の詳細な説明】
【技術分野】
【０００１】
本発明は、オルゴールに関し、特に、雑音を抑制して所望の音響を実現するための改良に関する。
【背景技術】
【０００２】
音楽を奏でるオルゴールが知られている。このオルゴールは、例えば、複数の振動弁を有する振動板と、振動弁を弾く爪部を駆動する駆動機構とを、備えている。複数の振動弁は、それぞれの音高に対応している。各振動弁が爪部により弾かれることで対応する音高の音が発生させられる。斯かるオルゴールにおいて、音響を向上させる技術が提案されている。例えば、特許文献１に記載されたオルゴールがそれである。この技術によれば、オルゴール機構部が、音響を伝達する響板に載置される。響板に支柱が設けられ、筐体の他の板と固定される。これにより、響板を支える支柱によって、オルゴール機構部により発生させられた音がオルゴールの筐体全体に効果的に伝達される。
【先行技術文献】
【特許文献】
【０００３】
【特許文献１】国際公開第２００２／０５８０４８号
【発明の概要】
【発明が解決しようとする課題】
【０００４】
しかし、前記従来の技術では、オルゴール機構部として、複数の振動弁を備えた振動板と、振動弁を弾く爪部を駆動する駆動機構とが、共に響板に載置される。オルゴールでは振動弁が弾かれて音が奏でられる一方で、振動弁を弾く機構部では駆動音が生じる。従って、前記従来の技術のように、複数の振動弁及び駆動機構が共に響板に載置されると、振動弁が弾かれて振動弁から発生させられた音と、駆動機構の駆動音とが、響板に伝えられ、共に筐体全体に響いてしまう。すなわち、響板により、振動弁から発生させられた音を響かせるとき、振動弁の音と共に、駆動機構の駆動音に起因する雑音が増大してしまうおそれがあった。以上のような課題は、オルゴールの音響性向上を意図して本発明者等が鋭意研究を継続する過程において新たに見出したものである。
【０００５】
本発明は、以上の事情を背景として為されたものであり、その目的とするところは、雑音を抑制して所望の音響を実現するオルゴールを提供することにある。
【課題を解決するための手段】
【０００６】
斯かる目的を達成するために、本願の請求項１に係る発明の要旨とするところは、複数の振動弁が固定された台座と、前記振動弁に対応して設けられ、前記振動弁を弾く複数の爪と、前記爪を駆動する駆動機構と、前記台座および前記駆動機構が内部に配置され、前記振動弁の振動に共鳴する共鳴板を備える筐体と、前記台座と前記共鳴板との間に配置され、前記台座に固定され且つ前記共鳴板に固定される第１部材と、前記駆動機構と、前記共鳴板を備える前記筐体との間に配置される第２部材とを、備えたこと特徴とするオルゴールである。
【０００７】
前記請求項１に係る発明に従属する本願の請求項２に係る発明の要旨とするところは、前記第１部材は、前記振動弁の振動を、前記台座を介して前記共鳴板へ伝える振動伝達部材であり、前記第２部材は、前記駆動機構から、前記筐体への振動の伝達を抑制する振動伝達抑制部材である。
【０００８】
前記請求項１又は２に係る発明に従属する本願の請求項３に係る発明の要旨とするところは、前記台座と前記駆動機構とを前記筐体に固定するフレームを備え、前記第２部材は、前記筐体と前記フレームとの間に設けられたものである。
【０００９】
前記請求項３に係る発明に従属する本願の請求項４に係る発明の要旨とするところは、前記駆動機構は、前記複数の振動弁にそれぞれ対応する前記爪が各振動弁を弾くタイミングを制御する複数のストッパを備え、前記フレームは、前記駆動機構と前記筐体との間、および前記台座と前記筐体との間に設けられ、前記第２部材は、前記駆動機構と前記フレームとの間、および前記筐体と前記フレームとの間に設けられ、前記駆動機構と前記フレームとの間には、前記筐体と前記フレームとの間に設けられた第１材質の前記第２部材より弾性が低い第２材質の前記第２部材が設けられたものである。
【００１０】
前記請求項３または４に係る発明に従属する本願の請求項５に係る発明の要旨とするところは、前記第１部材は、前記台座と前記共鳴板との間に介在された支柱であり、前記フレームには、前記台座が固定された位置に、前記支柱の外径よりも径が大きい貫通穴が形成され、前記支柱は、前記貫通穴に挿入され、且つ前記貫通穴の径より内側において固定されたものである。
【００１１】
前記請求項５に係る発明に従属する本願の請求項６に係る発明の要旨とするところは、前記支柱および前記共鳴板は、木製の部材であり、前記支柱は、前記台座と前記共鳴板とに、締結部材により締結されたものである。
【００１２】
前記請求項５または６に係る発明に従属する本願の請求項７に係る発明の要旨とするところは、前記複数の振動弁は、それぞれの音高に対応して異なる弁長さ寸法で形成され且つ前記弁長さ寸法が長い順番に所定の方向に配列されたものであり、前記複数の振動弁は、それぞれの音高に対応して高音から低音の順に配設されたものであり、前記支柱は、前記台座において、前記台座が固定する振動弁の低音側に対応する位置に固定されたものである。
【発明の効果】
【００１３】
本願の請求項１に係る発明によれば、前記台座と前記共鳴板とが第１部材を介して接続されていることから、前記振動弁の振動が前記共鳴板に効率的に伝達され、且つ、前記駆動機構と前記筐体との間に振動の伝達を抑制する第２部材が介挿されていることから、前記駆動機構の駆動音が前記筐体に響くことを好適に抑制できる。すなわち、駆動機構の駆動音を抑制して、振動弁で発生する音の音響を実現するオルゴールを提供することができる。
【図面の簡単な説明】
【００１４】
【図１】本発明の一実施例であるオルゴールにおける演奏機構部の構成を斜め上方から視た様子を例示する斜視図である。
【図２】図１の演奏機構部を第１軸の軸心方向に視た図である。
【図３】図２に示す構成の斜視図である。
【図４】図１に示すオルゴールにおける演奏機構部が筐体内に収容された様子を説明する平面図である。
【図５】図４のV-V視断面図である。
【図６】図１のオルゴールにおいてストッパが係止状態とされた場合における作動を説明する図である。
【図７】図１のオルゴールにおいてストッパが係止状態から非係止状態へ切り替えられる場合における作動を説明する図である。
【図８】図７の破線で囲繞した部分を拡大して示す図である。
【図９】図１のオルゴールにおいてスターホイールにおける爪が振動板の振動弁を弾いて音を奏でる作動を説明する図である。
【図１０】図１のオルゴールにおけるＥＣＵに備えられた制御機能の要部を説明する機能ブロック線図である。
【図１１】図１のオルゴールの筐体における側壁部の一部を取り除いて示す斜視図である。
【図１２】図４のXII-XII視断面図である。
【図１３】図４のXIII-XIII視断面図である。
【図１４】図１のオルゴールの筐体における側壁部の一部を取り除いて示す斜視図である。
【発明を実施するための形態】
【００１５】
以下、本発明の好適な実施例を図面に基づいて詳細に説明する。
【実施例】
【００１６】
図１は、本発明の一実施例であるオルゴール１０における演奏機構部１００の構成を斜め上方から視た様子を例示する斜視図である。本実施例において、オルゴール１０の上方とは、オルゴール１０が図示しない設置平面部に設置される際の上方（略鉛直上方）をいう。図１に示すように、本実施例のオルゴール１０は、第１軸１２を中心として回転可能に設けられた複数（例えば、４０個）のスターホイール１４を備えている。第１軸１２に沿って設けられた振動板１６を備えている。振動板１６には、複数のスターホイール１４にそれぞれ対応する複数の振動弁１８が第１軸１２に沿って設けられている。第１軸１２と並んで第２軸２０が設けられている。好適には第１軸１２と平行に第２軸２０が設けられている。第２軸２０を中心として回動可能に設けられた、複数のスターホイール１４にそれぞれ対応する複数のストッパ２２を備えている。複数のストッパ２２にそれぞれ対応する複数の電磁石２４を備えている。第１軸１２と平行に第３軸２６が設けられている。第３軸２６に相対回転不能に設けられてその第３軸２６と一体的に回転させられる、複数のスターホイール１４にそれぞれ対応する複数のサンホイール２８を備えている。第１軸１２及び第３軸２６をそれぞれの軸心まわりの回転可能に、第２軸２０を回転不能に支持すると共に、複数の電磁石２４等が組み付けられる組付フレーム１０４を備えている。振動板１６が固定される台座３０を備えている。第１軸１２及び第３軸２６をそれぞれの軸心まわりに同期して回転駆動するための駆動力を発生させるモータ３２を備えている。複数の振動弁１８は、予め定められた複数の音高（音階）にそれぞれ対応し、後述するようにスターホイール１４の爪３６により弾かれることで対応する音階の音を奏でるように構成されている。後述のように、スターホイール１４、サンホイール２８、及びストッパ２２等が爪３６を駆動する駆動機構１０２に対応する。オルゴール１０において、図１のように構成された演奏機構部１００は、第２フレーム７０ｂ等が後述する筐体３４に組み付けられることで、その筐体３４の内部に収容される。
【００１７】
図４は、図１に示す本実施例のオルゴール１０における演奏機構部１００が筐体３４内に収容された様子を説明する平面図である。図５は、演奏機構部１００が筐体３４内に収容された様子を説明する概略図であり、図４のV-V視断面図である。図４及び図５に示すように、オルゴール１０は、第１軸１２、複数のスターホイール１４、振動板１６、第２軸２０、複数のストッパ２２、複数の電磁石２４、第３軸２６、複数のサンホイール２８等の構成を収容する筐体３４を備えている。第１軸１２、複数のスターホイール１４、振動板１６、第２軸２０、複数のストッパ２２、複数の電磁石２４、第３軸２６、複数のサンホイール２８等は、組付フレーム１０４に組み付けられている。組付フレーム１０４は、第１フレーム７０ａに組み付けられている。第１フレーム７０ａは、ねじ１０６（図１２等を参照）により第２フレーム（下プレート）７０ｂに固定されている。振動板１６が取り付けられた台座３０は、第２フレーム７０ｂに固定されている。第２フレーム７０ｂは、ねじ７２、７４により筐体３４に固定されている。組付フレーム１０４、第１フレーム７０ａ、及び第２フレーム７０ｂは、好適には、それぞれ別個の部材として構成されたものである。図１のように構成された演奏機構部１００は、第２フレーム７０ｂが筐体３４に固定されることで、筐体３４の内部に収容されている。換言すれば、オルゴール１０は、台座３０と、スターホイール１４、サンホイール２８、及びストッパ２２等を備えた駆動機構１０２とを、前記筐体３４に固定する第２フレーム７０を備えている。すなわち、本実施例においては、第２フレーム７０ｂが、台座３０と駆動機構１０２とを筐体３４に固定するフレームに対応する。
【００１８】
筐体３４の底板３４ａは、振動弁１８の振動に共振する共鳴板として機能する。すなわち、筐体３４は、好適には、共鳴板として機能する底板３４ａと、底板３４ａに垂直な方向に設けられて筐体３４における四方を囲繞する側壁部３４ｂとを、備えて構成されている。すなわち、共鳴板としての底板３４ａは、その四方の端部において筐体３４（側壁部３４ｂ）に固定されている。オルゴール１０の演奏においては、底板３４ａのみならず側壁部３４ｂも振動弁１８の振動に共振することが考えられる。すなわち、側壁部３４ｂは、振動弁１８の振動に共振する共鳴板として機能する。台座３０は、底板３４ａに直接又は間接的に固定されている。好適には、台座３０と、底板３４ａとが、振動伝達部材である円柱状（筒状）の魂柱７６を介して接続されていることにより、間接して固定されている。すなわち、台座３０に直接固定され且つ共鳴板３４ａに直接固定された魂柱７６を備えている。換言すれば、魂柱７６は、台座３０と底板３４ａとの間に介在された支柱である。魂柱７６は、好適には、共鳴板としての底板３４ａの端部よりも内側すなわち側壁部３４ｂの内側に設けられている。本実施例においては、台座３０と共鳴板３４ａとの間に１本の魂柱７６が介在された構成について説明するが、２本以上の魂柱７６が介在されたものであってもよい。或いは、台座３０が底板３４ａに載置され、直接固定されたものであってもよい。すなわち、魂柱７６は、必ずしも設けられなくともよい。本実施例においては、振動伝達部材である魂柱７６が、台座３０に固定され且つ底板３４ａに固定される第１部材の一例に対応する。図５に示すように、オルゴール１０は、複数の電磁石２４それぞれの励磁乃至非励磁を制御する制御部としてのＥＣＵ（Electric Control Unit）６０を備えている。
【００１９】
図２は、オルゴール１０の演奏機構部１００におけるスターホイール１４、ストッパ２２、及びサンホイール２８等の構成を説明するために、それらの構成を第１軸１２の軸心方向に視た図である。図３は、図２に示すスターホイール１４、ストッパ２２、及びサンホイール２８等の構成を斜め上方から視た様子を示す斜視図である。図３においては、複数のスターホイール１４のうち２つのスターホイール１４ａ、１４ｂと、それらに対応するストッパ２２ａ、２２ｂ及び電磁石２４ａ、２４ｂ等を例示している。スターホイール１４ａ、１４ｂに対応するサンホイール２８ａ、２８ｂを例示すると共に、そのサンホイール２８ｂに隣接するサンホイール２８ｃを併せて示している。隣接するサンホイール２８とは、第３軸２６に沿ってその軸を中心に並んで配置されているサンホイール２８をいう。図３以外の図面である図１及び図２等において、個々のスターホイール１４ａ、１４ｂを特に区別しない場合には単にスターホイール１４として図示している。個々のストッパ２２ａ、２２ｂを特に区別しない場合には単にストッパ２２として図示している。個々のサンホイール２８ａ、２８ｂ、２８ｃを特に区別しない場合には単にサンホイール２８として図示している。スターホイール１４とストッパ２２とが対応するとは、そのストッパ２２の係止状態においてそのスターホイール１４の回転が係止されることをいう。スターホイール１４とサンホイール２８とが対応するとは、そのスターホイール１４のギヤ部３８とそのサンホイール２８の外周歯４０とが相互に噛み合うことをいう。図２においては、フレーム２９及び魂柱７６等の図示を省略している。図６〜９において同じである。図３においては、振動板１６、フレーム２９、及び台座３０等の図示を省略すると共に、第１軸１２、第２軸２０、及び第３軸２６それぞれの一部を省略（切断）して示している。
【００２０】
図２及び図３に示すように、スターホイール１４は、複数の爪３６を備えている。爪３６は、スターホイール１４の径方向外側に向けて放射状に形成された突起部である。好適には、スターホイール１４の周方向に等位相で４つの爪３６を備えている。すなわち、スターホイール１４の周方向に９０°毎に爪３６が設けられている。スターホイール１４は、爪３６よりも内周側（径方向内側）に複数のギヤ部３８を備えている。好適には、各爪３６に対応する位置に２歯ずつの突出部としてのギヤ部３８を備えている。ギヤ部３８は、複数のスターホイール１４が第１軸１２に沿って配置される間に配置されている。すなわち、ギヤ部３８は、第１軸１２の軸方向に関して、爪３６とは異なる位置に配置される。具体的には、軸方向に関して相互に隣接する爪３６相互間に配置される。サンホイール２８は、径方向外側に向けて複数の外周歯４０を備えて構成されている。図２に示すように、スターホイール１４が第１軸１２に組み付けられた状態において、爪３６は、第１軸１２の軸心を中心とするその回転軌跡が対応する振動弁１８の少なくとも一部に接触する位置に設けられている。且つ、対応するストッパ２２の後述する係止状態においてそのストッパ２２に係止される位置に設けられている。この係止される位置とは、爪３６がストッパ２２に当接されられた状態において、スターホイール１４の第１軸１２の回転への追従回転を阻止する位置である。すなわち、爪３６は、振動板１６における振動弁１８を弾くと共に、ストッパ２２と接触することで、スターホイール１４の第１軸１２の回転に伴う追従回転を阻止するストッパとして機能する。ギヤ部３８は、第１軸１２の軸心を中心とするその回転軌跡が対応するサンホイール２８の外周歯４０と噛み合わされる位置に設けられている。
【００２１】
図２に一部（破線で囲繞した部分）を拡大して示すように、サンホイール２８の外周歯４０には面取り７８が付けられている。面取り７８は、好適には、外周歯４０の先端部における軸方向の両側部に施されたものである。スターホイール１４の外周部には面取り８０が付けられている。面取り８０は、好適には、スターホイール１４の外径稜線に施されたものである。スターホイール１４の外径稜線とは、スターホイール１４における外周面８２における軸方向両端部である。サンホイール２８の面取り７８及びスターホイール１４の面取り８０の少なくとも一方が施されたものであればよい。スターホイール１４の外周面８２における端部の面取り８０に加えて、爪３６の稜線（軸方向両端部）等に面取りが施されたものであってもよい。
【００２２】
図２に示すように、ストッパ２２は、好適には、ストッパ２２が第２軸２０を中心にしてスターホイール１４に向けて回動させられることでスターホイール１４における少なくとも１つの爪３６に当接させられる板部材５０を備えている。電磁石２４の励磁状態において、その電磁石２４の磁力によりストッパ２２を第１回動方向すなわちスターホイール１４から離隔させられる方向へ回動させる作用を発生させる磁性部材５２を備えている。磁性部材５２は、例えば、鉄、コバルト、ニッケル等の鉄属元素を主成分とする金属である。磁性部材５２は、好適には特に磁化されていない鉄板であるが、磁化された所謂永久磁石であってもよい。ストッパ２２において、磁性部材５２は、板部材５０と一体的に設けられたエンジニアリングプラスチック等の合成樹脂部材５４にインサート成形されたものであり、斯かる構成により電磁石２４の吸引による磁性部材５２のビビリが抑制される。
【００２３】
電磁石２４は、好適には、鉄等の磁性材料である鉄芯の周囲に円筒状のコイルを備えている。そのコイルに電流が流されることで励磁状態とされ磁力（磁場）を発生させる。一方、コイルに電流が流されないと非励磁状態とされるよく知られた一般的な電磁石である。本実施例においては、電磁石２４のコイルに電流が流された状態が、電磁石２４が励磁された第１状態に相当する。電磁石２４のコイルに電流が流されない状態が、第１励磁状態より磁力が弱い第２状態に相当する。
【００２４】
図１０は、ＥＣＵ６０に備えられた制御機能の要部を説明する機能ブロック線図である。この図１０に示す楽譜データベース６２は、オルゴール１０による演奏の対象となる曲にそれぞれ対応する複数の楽譜データを記憶する。楽譜データベース６２は、よく知られたＳＤカード（Secure Digital Card）等の記憶媒体に納められ、ＥＣＵ６０が記憶媒体に記録されたデータを読み取り可能であってもよい。楽譜データは、例えば、ＭＩＤＩ（Musical Instrument Digital Interface）形式のデータであり、予め定められた複数種類の楽器毎に、その楽器に対応する音の出力タイミング及び音階等が定められた複数のトラック（チャンネル）を含んでいる。本実施例のオルゴール１０は、例えば、ＭＩＤＩデータにおけるガイドメロディすなわち主旋律に相当するトラック（チャンネル）の出力タイミング及び音階に基づいて以下に詳述する演奏制御を行う。
【００２５】
係止解除タイミング判定部６４は、複数のストッパ２２それぞれによるスターホイール１４における爪３６の係止を解除するタイミングを判定する。換言すれば、複数のストッパ２２それぞれに対応する電磁石２４の励磁乃至非励磁を切り替えるタイミング（電磁石２４の通電を実行乃至停止するタイミング）を判定する。例えば、楽譜データベース６２に記憶された複数の楽譜データのうち所定の楽譜データに対応する曲の演奏において、その楽譜データに定められた音の出力タイミング及び音階に基づいて前記判定を行う。具体的には、各音階に対応する複数の振動弁１８を楽譜データに定められた出力タイミングで弾くために、ストッパ２２によるスターホイール１４における爪３６の係止を解除するタイミングを判定する。第１軸１２及び第３軸２６それぞれの回転速度が一定の値に定まる場合、各スターホイール１４に対応するストッパ２２による係止が解除されてからそのスターホイール１４の爪３６により対応する振動弁１８が弾かれるまでのタイムラグは予め求められる。係止解除タイミング判定部６４は、演奏対象となる楽譜データに基づいて前記判定を行う。楽譜データにおいては、各振動弁１８に対応する音階の出力タイミングが定められている。その出力タイミングよりも前記タイムラグに相当する時間前に、その振動弁１８に対応するストッパ２２によるスターホイール１４における爪３６の係止が解除されるように前記判定を行う。
【００２６】
電磁石励磁／非励磁制御部６６は、係止解除タイミング判定部６４による判定結果に基づいて、複数の電磁石２４それぞれの励磁乃至非励磁を切り替える。すなわち、係止解除タイミング判定部６４による判定結果に基づいて、複数の電磁石２４それぞれの通電を実行乃至停止する制御を行う。具体的には、係止解除タイミング判定部６４によりストッパ２２によるスターホイール１４における爪３６の係止を解除するタイミングが判定された場合、そのタイミングで対応する電磁石２４を非励磁状態から励磁状態へ切り替える。すなわち、斯かるタイミングで電磁石２４の通電を開始する。電磁石励磁／非励磁制御部６６は、好適には、電磁石２４を非励磁状態から励磁状態へ切り替えた後、予め定められた規定時間経過後にその電磁石２４を励磁状態から非励磁状態へ切り替える。すなわち、斯かるタイミングで電磁石２４の通電を停止させる。
【００２７】
図２に示すように、電磁石２４は、各ストッパ２２に対応して設けられている。好適には、ストッパ２２における磁性部材５２が埋設された合成樹脂部材５４の近傍に設けられている。電磁石２４は、磁性部材５２と非接触に設けられている。すなわち、電磁石２４とストッパ２２とは、相互に最も接近した状態において非接触とされるものである。換言すれば、ストッパ２２は、後述する係止状態及び非係止状態の何れにおいても、磁性部材５２と電磁石２４との間に所定の間隔があくように構成されたものである。この間隔は、好適には、電磁石２４の励磁状態において、その電磁石２４の磁力作用を磁性部材５２に及ぼし得る範囲内とされる。例えば、電磁石２４とストッパ２２とが相互に最も離隔させられた状態においても、電磁石２４の励磁状態においてはその電磁石２４の磁力により磁性部材５２が引き寄せられるように間隔が設計される。すなわち、ストッパ２２をスターホイール１４から離隔させる方向に回動させる引力が発生させられるように、間隔が設計される。後述する図８に一点鎖線で示すように、電磁石２４の軸心（鉄芯の中心軸）は、ストッパ２２の回動中心すなわち第２軸２０の軸心と交わる位置関係とされる。
【００２８】
図２及び図３に示すように、ストッパ２２は、好適には、スナップばね（ねじりコイルばね）５６を備えている。スナップばね５６は、ストッパ２２をスターホイール１４に向けて回動させる方向に付勢する付勢部材である。ストッパ２２及び板部材５０は、好適には、電磁石２４の非励磁状態においては、スナップばね５６により付勢されることでスターホイール１４に向けて回動させられる。そして、板部材５０は、スターホイール１４に設けられた複数の爪３６の少なくとも１つを係止する係止状態（後述する図６等を参照）とされる。一方、電磁石２４の励磁状態においては、ストッパ２２及び板部材５０は、電磁石２４の磁力によりスナップばね５６による付勢に逆らって第２軸２０を中心として第１回動方向、すなわち、スターホイール１４から離隔させられる方向に回動させられる。そして、電磁石２４による磁力に応じた磁性部材５２を引き寄せる力（引力）とスナップばね５６の付勢力が釣り合った位置においてストッパ２２が停止される。すなわち、板部材５０による爪３６の係止が解除される非係止状態（後述する図７〜図９等を参照）とされる。
【００２９】
図２及び図３に示すように、複数の電磁石２４及び各電磁石２４に対応するストッパ２２は、好適には、第１群に属する複数の電磁石２４及びストッパ２２と、第２群に属する複数の電磁石２４及びストッパ２２とが、第１軸１２の軸心を中心とする周方向に９０°の位相差で（すなわち相互に９０°の角度を成す位置に）配設されている。好適には、複数の電磁石２４のうち最も端に設けられた電磁石２４から他端側へ向かって１からｎ（他端における電磁石２４に対応）までの数値を付した場合、奇数を付された複数の電磁石２４が前記第１群に、偶数を付された複数の電磁石２４が前記第２群にそれぞれ属する。すなわち、本実施例のオルゴール１０において、好適には、例えば図３に示すスターホイール１４ａ、１４ｂのように、相互に隣接するスターホイール１４にそれぞれ対応する電磁石２４（図３においては電磁石２４ａ、２４ｂ）が、第１軸１２の軸心を中心とする周方向に９０°の位相差で交互に配設されている。斯かる構成とすることで、オルゴール１０における演奏機構部１００の構成（特に、複数の電磁石２４）の配設スペースを可及的に小さくすることができ、装置を小型化することができる。
【００３０】
図６〜図９は、以上のように構成されたオルゴール１０における演奏機構部１００の具体的な作動について説明する図である。オルゴール１０による演奏時において、第１軸１２及び第３軸２６は、図６等に矢印で示すように、モータ３２の駆動により常時それぞれの軸心まわりに同期的に回転させられている。第１軸１２及び第３軸２６は、相互に逆回りに回転駆動されており、好適には、第１軸１２はスターホイール１４に設けられた爪３６が振動板１６の振動弁１８を下方から上方に向けて弾く方向に回転される。第３軸２６はサンホイール２８の外周歯４０とスターホイール１４のギヤ部３８とが噛み合った状態において、スターホイール１４を回転駆動する方向すなわち図６に矢印で示す方向にそれぞれ回転させられている。複数のサンホイール２８は、第３軸２６に対して相対回転不能に設けられているため、オルゴール１０による演奏時においては、第３軸２６の軸心まわりの回転に伴い常時それぞれの軸心まわりに回転させられている。
【００３１】
図６は、ストッパ２２が係止状態とされた場合における作動を説明している。この図６に示すように、対応する電磁石２４に対する通電が行われず、電磁石２４が非励磁状態とされている場合には、ストッパ２２の板部材５０は、スナップばね５６により付勢される。これにより、ストッパ２２は、スターホイール１４側に回動させられ、スターホイール１４に設けられた複数の爪３６の少なくとも１つを係止する係止状態とされる。すなわち、複数の爪３６の少なくとも１つにおける第１軸１２の回転方向側（回転が進む側）に、板部材５０における先端部が当接させられる。スターホイール１４は、第１軸１２との接触部位における摩擦力により、第１軸１２に追従回転させられるように構成されている。図６に示すような状態においては、ストッパ２２が係止状態とされていることで、接触部位における摩擦力に逆らってスターホイール１４の第１軸１２に対する追従回転が阻止される。換言すれば、第１軸１２の軸心を中心とするスターホイール１４の位相（振動弁１８等に対する位置関係）が固定されたまま、そのスターホイール１４における組付穴部と第１軸１２との接触面が軽い負荷をもって滑りつつそれらが相対回転させられる状態となる。斯かる状態においては、スターホイール１４におけるギヤ部３８はサンホイール２８における外周歯４０と噛み合わない位置とされ、サンホイール２８の回転はスターホイール１４の回転に影響しない。
【００３２】
図７は、ストッパ２２が係止状態から非係止状態へ切り替えられる場合における作動を説明している。図６に示す状態から、電磁石２４に対する通電が行われると、通電された電磁石２４が励磁状態とされる。そして、ストッパ２２の板部材５０が電磁石２４の磁力によりスナップばね５６による付勢に逆らって第２軸２０を中心としてスターホイール１４から離隔させられる方向（第１回動方向）に回動させられる。これにより、板部材５０による爪３６の係止が解除される非係止状態とされる。すなわち、スターホイール１４が、第１軸１２との接触部位における摩擦力によりその第１軸１２に追従回転させられる状態とされる。
【００３３】
図８は、図７の破線で囲んだ部分を拡大して示す図である。図７に示す非係止状態では、磁性部材５２と、電磁石２４における軸心の先端とが最も接近させられるが、図８に示すように、この状態において電磁石２４と磁性部材５２との間には間隔ｄの空間が存在し、非接触とされる。好適には、磁性部材５２における電磁石２４側の面は第２軸２０を中心とする部分円筒状の曲面５２ａとされている。このため、ストッパ２２が第２軸２０まわりに回動させられても、電磁石２４と磁性部材５２との間隔ｄが変化しないように構成されている。
【００３４】
図９は、スターホイール１４の爪３６が振動板１６の振動弁１８を弾いて音を発生させる作動を説明している。ストッパ２２が非係止状態とされ、板部材５０による爪３６の係止が解除される。その後、スターホイール１４が、第１軸１２との接触部位における摩擦力によりその第１軸１２に追従回転させられる。すると、図９に示すように、複数の爪３６のうち１つの爪３６が振動板１６の振動弁１８に接触させられる位相付近において、爪３６に隣接する回転方向側（すなわち回転方向に９０°の位相差で設けられた）爪３６に対応するギヤ部３８がサンホイール２８の外周歯４０と噛み合わされる。この状態においては、サンホイール２８の回転によりスターホイール１４が図９に矢印で示す方向すなわち爪３６が振動板１６の振動弁１８を下方から上方に向けて弾く方向に駆動される。斯かる作動によって振動弁１８が爪３６により弾かれ、振動弁１８に対応する音階の音が奏でられる。そのようにして振動弁１８を弾いた後、スターホイール１４が更に第１軸１２に追従回転させられることでギヤ部３８とサンホイール２８の外周歯４０とが再び噛み合わない状態となる。図７に示す状態からギヤ部３８と外周歯４０とが噛み合わない状態への移行過程において電磁石２４の通電が停止され、電磁石２４が非励磁状態とされる。これにより、スナップばね５６の付勢によりストッパ２２がスターホイール１４に向けて回動させられ、再び図６に示す状態に復帰させられる。
【００３５】
図４に示すように、振動板１６は、複数の振動弁１８が備えられた一端とは異なる部分において台座３０に固定されている。好適には、複数の振動弁１８が備えられた側の端部とは反対側の端部において台座３０に固定されている。好適には、図５に示すように、台座３０における振動板１６が取り付けられる部分（上面部）に複数（本実施例では８本）のねじ穴（雌ねじ）３０ａが形成されている。振動板１６における各ねじ穴３０ａに対応する部分には貫通穴１６ａが設けられている。振動板１６は、複数（本実施例では８本）のねじ（雄ねじ）４２が各貫通穴１６ａに挿通された状態で各ねじ穴３０ａに締結（螺合）されることで台座３０に対して固定（ねじ止め）されている。振動板１６の台座３０に対する固定は、ねじ止め固定の他、溶接、ろう接、接着剤による接着等により行われるものであってもよい。
【００３６】
図４に示すように、振動板１６には、複数（例えば、４０本）の振動弁１８が設けられている。振動板１６は、各振動弁１８が、一端を自由端、他方を固定端として形成されている。台座３０は、固定部を備えている。固定部は、複数の振動弁１８の固定端側を、台座３０に対して固定するために備えられる。振動弁１８それぞれの固定端に沿って、一定距離離れた間隔で、複数の固定部が備えられる。本実施例においては、ねじ穴３０ａ及びねじ４２等が斯かる固定部に対応する。複数の振動弁１８は、図１に示すように、複数のスターホイール１４にそれぞれ対応する。振動弁１８がスターホイール１４に対応するとは、スターホイール１４に備えられた爪３６が振動弁１８を弾くことが可能な位置に配置されたことを言う。振動板１６が台座３０に組み付けられることで、複数の振動弁１８が第１軸１２に沿って設けられる構成となる。複数の振動弁１８は、予め定められた複数の音階にそれぞれ対応する。スターホイール１４の爪３６により弾かれることで対応する音階の音を奏でるように構成されている。すなわち、振動弁１８は、オルゴール１０における発音体に対応する。換言すれば、複数の振動弁１８は、スターホイール１４の爪３６により弾かれることで、それぞれ異なる周波数の音を発生させる。複数の振動弁１８は、一端からそれぞれの音高に対応して高音から低音の順に配設されている。例えば、図４に示す例では図４における左側から右側に向かって高音から低音の順に配設されている。複数の振動弁１８は、それぞれの特性が異なる。例えば、各振動弁１８の長手方向の寸法（弁長さ寸法）が音高に応じて異なる。例えば、振動弁１８に対応する音高が高いほど弁長さ寸法が短く、音高が低いほど弁長さ寸法が長い。すなわち、最高音に対応する振動弁１８が最短の弁長さ寸法を備えた振動弁に、最低音に対応する振動弁１８が最長の弁長さ寸法を備えた振動弁にそれぞれ対応する。図４に示すように、本実施例においては、複数の振動弁１８の先端側すなわちスターホイール１４に対向する側が揃えられているが、逆側すなわち根本側が揃えられたものであってもよい。
【００３７】
魂柱７６は、例えば中空管状の部材であり、好適には木製である。例えば、スプルース（トウヒ）等の木材が好適に用いられる。或いは、魂柱７６は金属製であってもよい。筐体３４における底板３４ａは、好適には木製である。例えば、魂柱７６と同様にスプルース等の木材が好適に用いられる。筐体３４は、好適には、側壁部３４ｂも含めて木製である。好適には、図５に示すように、台座３０における魂柱７６が取り付けられる部分（底面部）にねじ穴（雌ねじ）３０ｂが形成されている。台座３０の底面におけるねじ穴３０ｂの周囲には、魂柱７６の外径寸法に合わせて円形の窪み３０ｃが形成されている。底板３４ａには、魂柱７６が取り付けられる部分に対応して貫通穴３４ｃが形成されている。魂柱７６における一方の端部が台座３０の窪み３０ｃに嵌め入れられ、他方の端部が底板３４ａの貫通穴３４ｃと中空が略一致する位置関係とされた状態で、ねじ（雄ねじ）である締結部材４４が貫通穴３４ｃ及び魂柱７６の中空に挿通されて台座３０のねじ穴３０ｂに締結（螺合）されることで、台座３０、魂柱７６、及び底板３４ａが相互に固定されている。締結部材４４は、好適には金属製の部材（金属棒）であるが、木製のねじであってもよい。魂柱７６は必ずしも円柱状ではなく、角柱状等に構成されたものであってもよい。魂柱７６は中空管状に形成されたものでなくともよい。斯かる構成において、魂柱７６は、その一方の端部において台座３０にねじ止めされ、他方の端部において他のねじで底板３４ａにねじ止めされるものであってもよい。
【００３８】
図５に示すように、台座３０には底面にねじ穴（雌ねじ）３０ｄが形成されており、ねじ（雄ねじ）５８により第２フレーム７０ｂに締結されている。第２フレーム７０ｂには、台座３０が固定された位置に、魂柱７６の外径よりも径が大きい貫通穴８４が形成されている。好適には、台座３０が第２フレーム７０ｂに固定された場合における窪み３０ｃ（ねじ穴３０ａ）に対応する位置に、窪み３０ｃよりも径が大きい貫通穴８４が形成されている。魂柱７６は、台座３０及び底板３４ａに固定される場合に、第２フレーム７０ｂにおける貫通穴８４に挿入され、且つ貫通穴８４の径より内側において固定される。換言すれば、台座３０、第２フレーム７０ｂ、及び魂柱７６が相互に固定された場合に、魂柱７６が貫通穴８４に挿入され且つ貫通穴８４の径より内側において固定されることで、魂柱７６と第２フレーム７０ｂとが非接触とされる。すなわち、台座３０、第２フレーム７０ｂ、及び魂柱７６が相互に固定された場合に、魂柱７６と第２フレーム７０ｂ（貫通穴８４）との間には所定の間隙が存在する。
【００３９】
図１１は、筐体３４における側壁部３４ｂの一部を取り除いて示す斜視図である。この図１１に示すように、振動伝達部材である魂柱７６は、台座３０と共鳴板である底板３４ａとの間に立設されている。好適には、台座３０の底面及び底板３４ａに垂直に設けられている。魂柱７６が介在されることで、台座３０と底板３４ａ（筐体３４）とが相互に固定されている。すなわち、台座３０が固定する振動弁１８と離間する位置に底板３４ａが固定されている。台座３０が固定する振動弁１８と底板３４ａとの間に魂柱７６が配置され、魂柱７６の径と直交する方向の長さ分の距離を離して配置されている。魂柱７６は、好適には、台座３０において、台座３０が固定する振動弁１８の低音側に対応する位置に固定（締結）されたものである。オルゴールにおいては一般に低音側の振動弁１８ほど共鳴が悪い。換言すれば、スターホイール１４の爪３６で弾いた際に発生させられる音が小さい。従って、台座３０が固定する振動弁１８の低音側に対応する位置に魂柱７６が固定されることで低音側の振動弁１８に対応する音量が増大する。よって、音域毎のバランスがよくなり、全体の音の共鳴が均一となる。或いは、台座３０が固定する振動弁１８の音階に関する略中央位置に魂柱７６が設けられたものであってもよい。
【００４０】
図１２は、図４のXII-XII視断面図である。図１３は、図４のXIII-XIII視断面図である。図１４は、筐体３４における側壁部３４ｂの一部を取り除いて示す斜視図である。図５、及び図１２〜図１４に示すように、本実施例のオルゴール１０には、演奏機構部１００と筐体３４との間の各部に、振動の伝達を抑制する振動伝達抑制部材８６、８８、９０が設けられている。好適には、筐体３４と第２フレーム７０ｂとの間に振動伝達抑制部材８６、８８が設けられている。駆動機構１０２（第１フレーム７０ａ）と第２フレーム７０ｂとの間に振動伝達抑制部材９０が設けられている。
【００４１】
図５及び図１３に示すように、筐体３４に対して第２フレーム７０ｂを締結するねじ７２、７４は、頂部にフランジ状の突出部が形成された所謂段ねじ（段付ボルト）である。振動伝達抑制部材８６、８８は、好適には、合成ゴムや天然ゴムをはじめとするゴム状弾性を示す弾性部材であり、ねじ７２、７４と第２フレーム７０ｂとの間に介挿されている。すなわち、ねじ７２、７４は、振動伝達抑制部材８６、８８を介して第２フレーム７０ｂを筐体３４に固定する。換言すれば、ねじ７２、７４と第２フレーム７０ｂとの間に振動伝達抑制部材８６、８８が噛まされている。斯かる構成において、振動伝達抑制部材８６、８８は、第２フレーム７０ｂから筐体３４へ伝達される振動を減衰させるダンパとして機能する。本実施例においては、振動伝達抑制部材８６、８８、９０が、駆動機構１０２と、底板３４ａを備える筐体３４との間に配置される第２部材の一例に対応する。
【００４２】
図１２及び図１４に示すように、振動伝達抑制部材９０は、駆動機構１０２と第２フレーム７０ｂとの間に介挿されたマット状（平面状）の部材であり、好適には、フェルトをはじめとする所定の厚みを有する布である。振動伝達抑制部材９０は、好適には、第１フレーム７０ａと第２フレーム７０ｂとの間に介在されている。振動伝達抑制部材９０は、好適には、振動伝達抑制部材８６、８８よりも弾性が低い部材である。すなわち、オルゴール１０において、駆動機構１０２と第２フレーム７０ｂとの間には、第２フレーム７０ｂと筐体３４との間に設けられた第１材質の振動伝達抑制部材８６、８８より弾性が低い第２材質の振動伝達抑制部材９０が設けられている。駆動機構１０２として、第１軸１２、スターホイール１４、第２軸２０、ストッパ２２、電磁石２４、第３軸２６、及びサンホイール２８等が、組付フレーム１０４に組み付けられている。組付フレーム１０４は、第１フレーム７０ａに組み付けられている。第１フレーム７０ａは、第２フレーム７０ｂとの間に振動伝達抑制部材９０が介挿された状態でねじ１０６等により固定されている。換言すれば、第１フレーム７０ａと第２フレーム７０ｂとの間に振動伝達抑制部材９０が噛まされている。好適には、第１フレーム７０ａは第２フレーム７０ｂと直接接触していない。図１４に示すように、第１フレーム７０ａには、第２フレーム７０ｂとの固定部に相当する部分に庇状に突出した突出部１０８が設けられている。振動伝達抑制部材９０は、突出部１０８と第２フレーム７０ｂとの間に、少なくとも突出部１０８の下面（第２フレーム７０ｂと対向する面）を被覆するように設けられている。好適には、第１フレーム７０ａを第２フレーム７０ｂに締結するねじ１０６の頭と第１フレーム７０ａとの間にも振動伝達抑制部材９０が介挿される。斯かる構成において、振動伝達抑制部材９０は、駆動機構１０２（第１フレーム７０ａ）から第２フレーム７０ｂへ伝達される振動を減衰させるダンパとして機能する。
【００４３】
以上のように構成された本実施例のオルゴール１０においては、台座３０と共鳴板である底板３４ａとが振動伝達部材である魂柱７６を介して接続されていることから、振動弁１８の振動が底板３４ａに効率的に伝達される。すなわち、振動弁１８の振動は、台座３０及び魂柱７６を介して共鳴板である底板３４ａに伝播される。且つ、駆動機構１０２と筐体３４との間に振動の伝達を抑制する振動伝達抑制部材８６、８８、９０が介挿されていることから、駆動機構１０２の駆動音が筐体３４に響くことを好適に抑制できる。更に、駆動機構１０２（第１フレーム７０ａ）と第２フレーム７０ｂとの間に比較的弾性が小さい振動伝達抑制部材９０が介挿され、第２フレーム７０ｂと筐体３４との間に比較的弾性が大きい振動抑制部材８６、８８が介挿されている。すなわち、駆動機構１０２と第２フレーム７０ｂとの間に比較的変形（弾性変形）が小さい振動伝達抑制部材９０が介挿されている。これにより、駆動機構１０２から第２フレーム７０ｂへの振動の伝達を抑制しつつ、振動伝達抑制部材９０の変形によるスターホイール１４の爪３６と振動弁１８との間の距離の変化を好適に抑制できる。スターホイール１４の爪３６と振動弁１８との間の距離が変化すると振動弁１８を弾いた際の音量が変化するため、上記の構成により、オルゴール１０における意図しない音量の変化を抑制できる。第２フレーム７０ｂと筐体３４との間には、比較的弾性が大きい振動伝達抑制部材８６、８８が介挿されているため、第２フレーム７０ｂから筐体３４への振動の伝達を効率的に抑制できる。すなわち、本実施例によれば、駆動機構１０２の駆動音を抑制して、振動弁１８で発生する音の音響を実現するオルゴール１０を提供することができる。
【００４４】
以上、本発明の好適な実施例を図面に基づいて詳細に説明したが、本発明はこれに限定されるものではなく、更に別の態様においても実施される。
【００４５】
本発明は、図１〜図１４を用いて前述した構成に限定されるものではない。例えば、前述の実施例において、第１フレーム７０ａ及び第２フレーム７０ｂは、それぞれ別個の部材として構成されたものであったが、第１フレーム７０ａ及び第２フレーム７０ｂは一体に構成されたものであってもよい。斯かる構成においては、一体に構成された第１フレーム７０ａ及び第２フレーム７０ｂと筐体３４との間に振動伝達抑制部材８６、８８、９０の少なくとも１つが介挿される。組付フレーム１０４を備えることなく、駆動機構１０２が第１フレーム７０ａに組み付けられたものであってもよい。すなわち、第１軸１２、スターホイール１４、第２軸２０、ストッパ２２、電磁石２４、第３軸２６、及びサンホイール２８等が第１フレーム７０ａに組み付けられたものであってもよい。斯かる構成においては、第１フレーム７０ａと筐体３４との間に振動伝達抑制部材８６、８８、９０の少なくとも１つが介挿される。
【００４６】
前述の実施例においては特に言及していないが、本発明は、音量調節機構を備えたオルゴールにも好適に適用される。例えば、前述のオルゴール１０において、組付フレーム１０４が第１フレーム７０ａに対して移動可能に設けられ、組付フレーム１０４を第１フレーム７０ａに対して振動弁１８の延伸方向に移動させることで、振動板１６における各振動弁１８と対応するスターホイール１４との距離を変化させる音量調節機構を備えたものであってもよい。駆動機構１０２が取り付けられた組付フレーム１０４を平行移動させて各振動弁１８とスターホイール１４との距離を変化させることで、振動板１６における各振動弁１８それぞれに対して、均一な距離変化で対応するスターホイール１４を移動させることができる。スターホイール１４の爪３６と振動弁１８との間の距離が変化すると振動弁１８を弾いた際の音量が変化するため、前記のような音量調節機構によりオルゴール１０の音量を調節できる。斯かる構成においては、スターホイール１４の爪３６と振動弁１８との間の距離が特に精密に調節されることが求められる。従って、例えば駆動機構１０２と第２フレーム７０ｂとの間に比較的変形が小さい振動伝達抑制部材９０が介挿されていることで、スターホイール１４の爪３６と振動弁１８との間の距離を精密に調節することが可能となる。
【００４７】
スターホイール１４に設けられる爪３６の数は４つには限定されず、周方向に９０°毎に設けられたものでなくともよい。スターホイール１４におけるギヤ部３８は、必ずしも爪３６に対応する位置に設けられたものでなくともよく、周方向に位相の異なる位置に設けられたものであってもよい。第１群に属する複数の電磁石２４及びストッパ２２と、第２群に属する複数の電磁石２４及びストッパ２２とが、第１軸１２の軸心を中心とする周方向に９０°の位相差で配設されたものでなくともよく、例えば全ての電磁石２４が同一平面上に一列に配設されたものであってもよい。逆に、爪３６がスターホイール１４の周方向に５つ以上設けられている場合等において、スターホイール１４に設けられた爪３６の数に応じて、複数の電磁石２４及びストッパ２２が、第１軸１２の軸心を中心とする周方向に所定の位相差で３つ以上の位相に対応する位置に配設されたものであってもよい。スターホイール１４を係止させるための構成として、各スターホイール１４に対応して２つ以上のストッパ２２が設けられたものであってもよい。ＥＣＵ６０がインターネット等の通信回線に接続され、その通信回線を介して楽譜データをダウンロードして楽譜データベース６２に蓄積するものであってもよい。その他、スターホイール１４の形状、ストッパ２２の構成（板部材５０の形状）、及び各構成の相対位置等は、オルゴールの設計に応じて適宜変更される。例えば、ギヤ部３８は、必ずしも２歯ずつ設けられるものでなくともよく、爪３６が対応する振動弁１８を弾くために十分な距離及び時間だけサンホイール２８から駆動されればよく、１歯或いは３歯以上のギヤ部が設けられたものであってもよい。ストッパ２２は、電磁石２４の励磁状態において、電磁石２４の磁力によりストッパ２２を第１回動方向へ回動させる作用を発生させる磁性部材として永久磁石を備えても良い。永久磁石は、好適には、電磁石２４が励磁状態とされた場合に電磁石２４との間で反発力（同種の磁極間の斥力）が発生する位置で、板部材５０と一体的に設けられた合成樹脂部材５４にインサート成形されても良い。ストッパ２２の板部材５０が電磁石２４の磁力すなわちその電磁石２４と永久磁石との間の斥力によりスナップばね５６による付勢に逆らう。これにより、ストッパ２２は、第２軸２０を中心としてスターホイール１４から離隔させられる方向（第１回動方向）に回動させられ、板部材５０による爪３６の係止が解除される非係止状態とされる。
【００４８】
その他、一々例示はしないが、本発明はその趣旨を逸脱しない範囲内において種々の変更が加えられて実施されるものである。
【符号の説明】
【００４９】
１０：オルゴール、１８：振動弁、２２：ストッパ、３４：筐体、３４ａ：底板（共鳴板）、３６：爪、４４：締結部材、７０ｂ：第２フレーム、７６：魂柱（振動伝達部材、支柱）、８４：貫通穴、８６、８８、９０：振動伝達抑制部材、１０２：駆動機構
【図１】
2015011241.tif 000003
【図２】
2015011241.tif 000004
【図３】
2015011241.tif 000005
【図４】
2015011241.tif 000006
【図５】
2015011241.tif 000007
【図６】
2015011241.tif 000008
【図７】
2015011241.tif 000009
【図８】
2015011241.tif 000010
【図９】
2015011241.tif 000011
【図１０】
2015011241.tif 000012
【図１１】
2015011241.tif 000013
【図１２】
2015011241.tif 000014
【図１３】
2015011241.tif 000015
【図１４】
2015011241.tif 000016